(57)【要約】  【課題】  冷却チップを水タンク式飲料水供給装置に結合して冷却を行うことにより、冷却剤の使用によって環境の汚染破壊になるのを避けることができる。  【解決手段】  基座１、冷却モジュール２、水タンク５および制御ユニット４を有する。基座１には冷却空間１１が設けられる。冷却モジュール２には伝導殻体２１と冷却チップユニット２２が含まれ、伝導殻体２１は冷却空間１１の内に設置され、伝導殻体２１には収容タンク２１５が形成され、冷却チップユニット２２は伝導殻体２１に結合される。水タンク５は伝導殻体２１の収容タンク２１５の内に収容される。制御ユニット４には制御器４２が含まれ、制御器４２は基座１に設置され、そして制御器４２と冷却チップユニット２２とは電気的に連接するように構成されている。【選択図】    図２
2010223503.tif 000002
【特許請求の範囲】
【請求項１】
基座（１）、冷却モジュール（２）、水タンク（５）および制御ユニット（４）を有する水タンク式飲料水電子冷却供給装置において、基座（１）には冷却空間（１１）が設けられ、冷却モジュール（２）には伝導殻体（２１）と冷却チップユニット（２２）が含まれ、伝導殻体（２１）は冷却空間（１１）の内に設置され、伝導殻体（２１）には収容タンク（２１５）が形成され、冷却チップユニット（２２）は伝導殻体（２１）に結合され、水タンク（５）は伝導殻体（２１）の収容タンク（２１５）の内に収容され、制御ユニット（４）には制御器（４２）が含まれ、制御器（４２）は基座（１）に設置され、そして制御器（４２）と冷却チップユニット（２２）とは電気的に連接するように形成されることを特徴とする水タンク式飲料水電子冷却供給装置。
【請求項２】
制御ユニット（４）には他に制御器（４２）と電気的に連接するための微動スイッチ（４１）が設けられ、微動スイッチ（４１）には接触端（４１１）が形成され、接触端（４１１）は収容タンク（２１５）に向くように形成されることを特徴とする請求項１記載の水タンク式飲料水電子冷却供給装置。
【請求項３】
伝導殻体（２１）は底板（２１１）の四つの側辺からそれぞれ伝導部（２１２）、係止部（２１３）と二個の側板（２１４）を設けることによって共同で構成するもので、底板（２１１）、伝導部（２１２）、係止部（２１３）と側板（２１４）は共同で囲んで収容タンク（２１５）を形成し、そして冷却チップユニット（２２）は伝導部（２１２）に結合されることを特徴とする請求項１または２記載の水タンク式飲料水電子冷却供給装置。
【請求項４】
伝導殻体（２１）の底板（２１１）は水平面とは傾斜角度を有するように形成されることを特徴とする請求項１または２記載の水タンク式飲料水電子冷却供給装置。
【請求項５】
伝導殻体（２１）の底板（２１１）は水平面とは傾斜角度を有するように形成されることを特徴とする請求項３記載の水タンク式飲料水電子冷却供給装置。
【請求項６】
伝導部（２１２）の肉厚は側板（２１４）の肉厚より大きくなるように形成されることを特徴とする請求項３記載の水タンク式飲料水電子冷却供給装置。
【請求項７】
冷却チップユニット（２２）には冷却伝導体（２２１）、冷却チップ（２２２）、放熱フィン（２２３）と放熱ファン（２２４）が含まれ、冷却伝導体（２２１）の一方の面は伝導殻体（２１）に結合され、冷却チップ（２２２）には冷却面（２２２ａ）と放熱面（２２２ｂ）が形成され、冷却チップ（２２２）の冷却面（２２２ａ）は冷却伝導体（２２１）の他方の面に結合され、放熱フィン（２２３）は冷却チップ（２２２）の放熱面（２２２ｂ）に設置され、そして放熱ファン（２２４）は放熱フィン（２２３）に設置されることを特徴とする請求項１または２記載の水タンク式飲料水電子冷却供給装置。
【請求項８】
冷却チップユニット（２２）には他に制御ユニット（４）と電気的に連接するための測温抵抗部材（２２６）が含まれ、測温抵抗部材（２２６）は冷却伝導体（２２１）に設置されることを特徴とする請求項７記載の水タンク式飲料水電子冷却供給装置。
【請求項９】
水タンク（５）には出水バルブ（５１）が設けられ、そして係止部（２１３）には位置決め口（２１６）が設けられ、出水バルブ（５１）は位置決め口（２１６）の内に位置決めされることを特徴とする請求項３記載の水タンク式飲料水電子冷却供給装置。
【請求項１０】
基座（１）には他に保冷蓋（１４）が含まれ、保冷蓋（１４）は冷却空間（１１）を蓋して封止するのに用いられ、そして保冷蓋（１４）は断熱材質により製成されることを特徴とする請求項１または２記載の水タンク式飲料水電子冷却供給装置。
【請求項１１】
冷却チップユニット（２２）は収容タンク（２１６）の外に位置するように形成されることを特徴とする請求項１または２記載の水タンク式飲料水電子冷却供給装置。
【請求項１２】
基座（１）、冷却モジュール（２）、水タンク（５）、予冷チップユニット（６）および制御ユニット（４）を有する水タンク式飲料水電子冷却供給装置において、基座（１）には冷却空間（１１）と予冷空間（１５）が設けられ、冷却モジュール（２）には伝導殻体（２１）と冷却チップユニット（２２）が含まれ、伝導殻体（２１）は冷却空間（１１）の内に設置され、伝導殻体（２１）には収容タンク（２１５）が形成され、冷却チップユニット（２２）は伝導殻体（２１）に結合され、水タンク（５）は伝導殻体（２１）の収容タンク（２１５）の内に収容され、予冷チップユニット（６）は基座（１）に設置され、そして予冷チップユニット（６）の一方は予冷空間（１５）に向くように形成され、制御ユニット（４）には少なくとも一個の制御器（４２、４２’）が含まれ、制御器（４２、４２’）は基座（１）に設置され、そして制御器（４２、４２’）と冷却チップユニット（２２）および予冷チップユニット（６）とは電気的に連接するように形成されることを特徴とする水タンク式飲料水電子冷却供給装置。
【請求項１３】
制御ユニット（４）には他に制御器（４２）と電気的に連接するための微動スイッチ（４１）が設けられ、微動スイッチ（４１）には接触端（４１１）が形成され、接触端（４１１）は収容タンク（２１５）に向くように形成されることを特徴とする請求項１２記載の水タンク式飲料水電子冷却供給装置。
【請求項１４】
伝導殻体（２１）は底板（２１１）の四つの側辺からそれぞれ伝導部（２１２）、係止部（２１３）と二個の側板（２１４）を設けることによって共同で構成するもので、底板（２１１）、伝導部（２１２）、係止部（２１３）と側板（２１４）は共同で囲んで収容タンク（２１５）を形成し、そして冷却チップユニット（２２）は伝導部（２１２）に結合されることを特徴とする請求項１２または１３記載の水タンク式飲料水電子冷却供給装置。
【請求項１５】
予冷チップユニット（６）には他に予冷チップ（６１）、予冷伝導体（６２）、予冷フィン（６３）と予冷ファン（６４）が含まれ、予冷チップ（６１）には冷却面（６１ａ）と放熱面（６１ｂ）が形成され、冷却チップ（６１）の冷却面（６１ａ）には順序に従って予冷伝導体（６２）、予冷フィン（６３）と予冷ファン（６４）が設置されることを特徴とする請求項１２または１３記載の水タンク式飲料水電子冷却供給装置。
【請求項１６】
予冷チップユニット（６）には他に保護部材（６７）と感温部材（６８）が含まれ、保護部材（６７）は予冷ファン（６４）をカバーするのに用いられ、感温部材（６８）は制御ユニット（４）と電気的に連接し、そして感温部材（６８）は保護部材（６７）と予冷ファン（６４）との間に位置するように形成されることを特徴とする請求項１５記載の水タンク式飲料水電子冷却供給装置。
【請求項１７】
予冷チップユニット（６）には他に予冷チップ（６１）、予冷伝導体（６２）、予冷フィン（６３）と予冷ファン（６４）が含まれ、予冷チップ（６１）には冷却面（６１ａ）と放熱面（６１ｂ）が形成され、冷却チップ（６１）の冷却面（６１ａ）には順序に従って予冷伝導体（６２）、予冷フィン（６３）と予冷ファン（６４）が設置されることを特徴とする請求項１４記載の水タンク式飲料水電子冷却供給装置。
【請求項１８】
予冷チップユニット（６）には他に放熱フィン（６５）と放熱ファン（６６）が含まれ、そして冷却チップ（６１）の放熱面（６１ｂ）には順序に従って放熱フィン（６５）と放熱ファン（６６）が設置されることを特徴とする請求項１５記載の水タンク式飲料水電子冷却供給装置。
【請求項１９】
基座（１）には他に保冷板（１６）が含まれ、保冷板（１６）は予冷空間（１５）を蓋して封止するのに用いられ、そして保冷板（１６）は断熱材質により製成されることを特徴とする請求項１２または１３記載の水タンク式飲料水電子冷却供給装置。
【請求項２０】
保冷板（１６）が予冷空間（１５）に向く一方には予冷タンク（１６１）が設けられることを特徴とする請求項１９記載の水タンク式飲料水電子冷却供給装置。
【発明の詳細な説明】
【技術分野】
【０００１】
本発明は、水タンク式飲料水供給装置に関するもので、特に冷却チップを利用して冷却を行うことができる水タンク式飲料水電子冷却供給装置に係るものである。ここにおいて、本説明において用いられる「水タンク」の用語は、その中に内容物（飲料水）を収納した容器を指し、その容器は、一般的に、プラスチックフィルムまたはシートにより形成され、内容物を注出させるためのコック（出水バルブ）を備えた直方体等の立体形状の容器である。
【背景技術】
【０００２】
従来の飲料水供給装置としては、例えば中華民国公告第Ｍ３４４４６１号「飲料水供給装置の水冷却装置」において、貯水タンク式の飲料水供給装置が掲示される。上記従来の飲料水供給装置には、通常、コンプレッサー、熱交換タンク、制御器および氷タンクが設けられる。上記コンプレッサーは冷却剤をパイプの内まで圧縮するのに用いられ、そして上記パイプは順序よく上記熱交換タンクの内に円盤状の冷却剤パイプとして形成され、さらに上記氷タンクの外部まで巻き付けられて凝結パイプとして形成され、最後に再び上記コンプレッサーまで連接されるため、上記冷却剤は上記パイプの内で循環して流動することができる。また、上記熱交換タンクには進水口と出水部材が形成されることにより、水を導入したり導出したりすることができるとともに、上記円盤状の冷却剤パイプを迅速に降温して熱を導出することができる。上記制御器は上記熱交換タンクの外表面に設置されることにより、上記熱交換タンクの進水と出水を調節することができる。上記氷タンクは飲用水を貯蔵するのに用いられ、そして上記凝結パイプを通じて上記氷タンクの内の飲用水を冷却することができるようにとしたものがある（例えば、特許文献１を参照）。
【０００３】
また、従来の飲料水供給装置としては、例えば中華民国公告第Ｍ３４１００７号「飲用水包装容器に専用する冷却装置」において、水タンクに専用の飲料水供給装置が掲示される。上記従来の飲料水供給装置には基座および蒸発器が設けられる。上記基座には飲用水包装容器を放置するための載置面が形成され、そして上記基座の内部には凝結ユニットが設置される。上記蒸発器には一個の殻体と少なくとも一個の導流片が形成され、上記殻体の外周面には導熱面が形成され、上記導流片は上記殻体の内部に設置されることにより、上記殻体の内部には迂回の流路が形成され、上記迂回の流路は冷却剤が循環して流動するのに用いられ、さらに上記導熱面により上記飲用水包装容器の内部の飲用水に対して冷却の作業を行うことができる。そして、上記水タンクが使い切った時、もう一個の水タンクが充満される包装容器を換えることによって引き続き飲用することができるようにとしたものがある（例えば、特許文献２を参照）。
【０００４】
さらに、従来の飲料水供給装置としては、例えば中華民国公告第１６５６２０号「半導体冷却飲料水供給装置」において、飲料水供給装置には冷却タンクおよび半導体冷却器（または冷却チップと称す）が設けられる。上記冷却タンクの内部は飲用水を貯蔵するのに用いられる。上記半導体冷却器は上記冷却タンクの周壁に設置され、さらに上記半導体冷却器には冷却面と放熱面が形成され、上記冷却面は上記冷却タンクの内部に向くように形成され、そして上記放熱面は外部に向くように形成される。上記半導体冷却器が通電して作動された後、上記冷却面は急速に降温することにより、上記冷却タンクの内部の水温は低くなり、さらに交換された熱は上記放熱面から排出することができるようにとしたものがある（例えば、特許文献３を参照）。
【先行技術文献】
【特許文献】
【０００５】
【特許文献１】中華民国公告第Ｍ３４４４６１号
【特許文献２】中華民国公告第Ｍ３４１００７号
【特許文献３】中華民国公告第１６５６２０号
【発明の概要】
【発明が解決しようとする課題】
【０００６】
上述した従来の飲料水供給装置において、一般的に下記の問題点を有している。上記中華民国公告第Ｍ３４４４６１号に掲示される飲料水供給装置は、上記氷タンクを利用して飲用水を貯蔵し、そして再び上記コンプレッサーまたは半導体冷却器を利用して上記氷タンクに対して冷却を行うものである。しかし、上記のような従来の飲料水供給装置によれば、水を添加する時には埃がタンクの内部に入ってしまうかもしれず、さらに長時間使用した後、貯水タンクに対して洗浄を行わなければ、飲用水の清潔さを維持することができないため、飲用水の清潔さを維持し難く、洗浄に大変不便であるという問題点を有する。また、コンプレッサーを利用して冷却を行うことにより、冷却剤の使用は避けられないため、上記飲料水供給装置を廃棄する時、上記冷却剤によって環境の汚染と破壊に影響を及ぼしてしまうという問題点を有する。さらに、飛行安全の規定によって冷却剤などの物質を飛行機の機内に持ち込むことが禁止されており、仮に生産者が上記飲料水供給装置を国外まで販売しようとする場合、上記コンプレッサーの中に冷却剤が存在しており、飛行機を利用して運送することができないため、上記飲料水供給装置の製品を運送するのが困難になるという問題点を有する。
【０００７】
また、上記中華民国公告第Ｍ３４１００７号に掲示される飲料水供給装置によれば、上記中華民国公告第Ｍ３４４４６１号に掲示される飲料水供給装置における飲用水の清潔さを維持し難く、洗浄に大変不便であるという問題点を克服することができる。しかし、上記中華民国公告第Ｍ３４１００７号に掲示される飲料水供給装置はコンプレッサーを利用し、冷却剤を輸送して冷却を行うため、依然として環境の汚染破壊と運送が不便になるという問題点を有する。さらに、上記中華民国公告第Ｍ３４１００７号に掲示される飲料水供給装置は水タンクを使用する飲料水供給装置であり、その水タンクは導熱効果の悪いプラスチックの包装容器を利用して包装を行うもので、良好な伝導媒質を有する部材からなる貯水タンク等を設置していないため、冷却チップを水タンク式飲料水供給装置に結合して冷却を行って冷却剤による環境の汚染破壊の問題点を克服しようとしても、良好な伝導媒質を有しないため、上記冷却チップを上記水タンク式飲料水供給装置に結合し難いという問題点を有する。
【０００８】
さらに、上記中華民国公告第１６５６２０号に掲示される飲料水供給装置によれば、上記中華民国公告第Ｍ３４４４６１号と上記中華民国公告第Ｍ３４１００７号に掲示される飲料水供給装置におけるコンプレッサーを利用し冷却剤を輸送して冷却を行うことによって生じた環境の汚染破壊と運送が不便になるという問題点を克服することができる。しかし、上記中華民国公告第１６５６２０号に掲示される飲料水供給装置は依然として上記中華民国公告第Ｍ３４４４６１号に掲示される飲料水供給装置における飲用水の清潔さを維持し難く、洗浄に大変不便であるという問題点を有する。このように、上記のような従来の飲料水供給装置をさらに改良しなければならない。
【０００９】
本発明はこのような問題点に鑑みて発明したものであって、その第一な目的とするところは、冷却チップを水タンク式飲料水供給装置に結合して冷却を行うことにより、冷却剤の使用によって環境の汚染破壊になるのを避けることができる水タンク式飲料水電子冷却供給装置を提供しようとするものである。
【００１０】
本発明の第二な目的とするところは、使用者が即時に冷たい飲用水を飲用することができる水タンク式飲料水電子冷却供給装置を提供しようとするものである。
【課題を解決するための手段】
【００１１】
上記目的を達成するために、本発明による水タンク式飲料水電子冷却供給装置は、下記のようになるものである。すなわち、
基座、冷却モジュール、水タンクおよび制御ユニットを有する。基座には冷却空間が設けられ、冷却モジュールには伝導殻体と冷却チップユニットが含まれる。伝導殻体は冷却空間の内に設置され、伝導殻体には収容タンクが形成される。冷却チップユニットは伝導殻体に結合される。水タンクは伝導殻体の収容タンクの内に収容される。制御ユニットには制御器が含まれる。制御器は基座に設置され、そして制御器と冷却チップユニットとは電気的に連接するように形成される。
【００１２】
また、本発明による水タンク式飲料水電子冷却供給装置は、制御ユニットには他に制御器と電気的に連接するための微動スイッチが設けられ、微動スイッチには接触端が形成され、接触端は収容タンクに向くように形成されることもできる。また、伝導殻体は底板の四つの側辺からそれぞれ伝導部、係止部と二個の側板を設けることによって共同で構成するもので、底板、伝導部、係止部と側板は共同で囲んで収容タンクを形成し、そして冷却チップユニットは伝導部に結合されることもできる。また、伝導殻体の底板は水平面とは傾斜角度を有するように形成されることもできる。伝導部の肉厚は側板の肉厚より大きくなるように形成されることもできる。また、冷却チップユニットには冷却伝導体、冷却チップ、放熱フィンと放熱ファンが含まれ、冷却伝導体の一方の面は伝導殻体に結合され、冷却チップには冷却面と放熱面が形成され、冷却チップの冷却面は冷却伝導体の他方の面に結合され、放熱フィンは冷却チップの放熱面に設置され、そして放熱ファンは放熱フィンに設置されることもできる。また、冷却チップユニットには他に制御ユニットと電気的に連接するための測温抵抗部材が含まれ、測温抵抗部材は冷却伝導体に設置されることもできる。また、水タンクには出水バルブが設けられ、そして係止部には位置決め口が設けられ、出水バルブは位置決め口の内に位置決めされることもできる。また、基座には他に保冷蓋が含まれ、保冷蓋は冷却空間を蓋して封止するのに用いられ、そして保冷蓋は断熱材質により製成されることもできる。また、冷却チップユニットは収容タンクの外に位置するように形成されることもできる。
【００１３】
また、本発明による水タンク式飲料水電子冷却供給装置は、基座、冷却モジュール、水タンク、予冷チップユニットおよび制御ユニットを有する。基座には冷却空間と予冷空間が設けられる。冷却モジュールには伝導殻体と冷却チップユニットが含まれ、伝導殻体は冷却空間の内に設置され、伝導殻体には収容タンクが形成され、冷却チップユニットは伝導殻体に結合される。水タンクは伝導殻体の収容タンクの内に収容される。予冷チップユニットは基座に設置され、そして予冷チップユニットの一方は予冷空間に向くように形成される。制御ユニットには少なくとも一個の制御器が含まれ、制御器は基座に設置され、そして制御器と冷却チップユニットおよび予冷チップユニットとは電気的に連接するように形成される。
【００１４】
さらに、本発明による水タンク式飲料水電子冷却供給装置は、制御ユニットには他に制御器と電気的に連接するための微動スイッチが設けられ、微動スイッチには接触端が形成され、接触端は収容タンクに向くように形成されることもできる。また、伝導殻体は底板の四つの側辺からそれぞれ伝導部、係止部と二個の側板を設けることによって共同で構成するもので、底板、伝導部、係止部と側板は共同で囲んで収容タンクを形成し、そして冷却チップユニットは伝導部に結合されることもできる。また、予冷チップユニットには他に予冷チップ、予冷伝導体、予冷フィンと予冷ファンが含まれ、予冷チップには冷却面と放熱面が形成され、冷却チップの冷却面には順序に従って予冷伝導体、予冷フィンと予冷ファンが設置されることもできる。また、予冷チップユニットには他に保護部材と感温部材が含まれ、保護部材は予冷ファンをカバーするのに用いられ、感温部材は制御ユニットと電気的に連接し、そして感温部材は保護部材と予冷ファンとの間に位置するように形成されることもできる。また、予冷チップユニットには他に放熱フィンと放熱ファンが含まれ、そして冷却チップの放熱面には順序に従って放熱フィンと放熱ファンが設置されることもできる。また、基座には他に保冷板が含まれ、保冷板は予冷空間を蓋して封止するのに用いられ、そして保冷板は断熱材質により製成されることもできる。また、保冷板が予冷空間に向く一方には予冷タンクが設けられることもできる。
【発明の効果】
【００１５】
本発明の水タンク式飲料水電子冷却供給装置によれば、冷却チップを水タンク式飲料水供給装置に結合して冷却を行うことにより、冷却剤の使用によって環境の汚染破壊になるのを避けることができるという利点がある。
【００１６】
本発明の水タンク式飲料水電子冷却供給装置によれば、使用者が即時に冷たい飲用水を飲用することができるという利点がある。
【図面の簡単な説明】
【００１７】
【図１】本発明の実施例１の水タンク式飲料水電子冷却供給装置による外観の斜視図である。
【図２】本発明の実施例１の水タンク式飲料水電子冷却供給装置による斜視図である。
【図３】本発明の実施例１の水タンク式飲料水電子冷却供給装置による断面図である。
【図４】本発明の実施例１の水タンク式飲料水電子冷却供給装置の冷却モジュールによる分解斜視図である。
【図５】本発明の実施例２の水タンク式飲料水電子冷却供給装置による斜視図である。
【図６】本発明の実施例２の水タンク式飲料水電子冷却供給装置による断面図である。
【図７】本発明の実施例２の水タンク式飲料水電子冷却供給装置の冷却モジュールによる分解斜視図である。
【発明を実施するための形態】
【００１８】
本発明の実施の形態について、以下、図面を参照して説明する。
【実施例１】
【００１９】
本発明は主に水タンク式飲料水供給装置の冷却システムに対して設計の改良を行うことにより、冷却チップを水タンク式飲料水供給装置に結合して冷却を行うことができるため、コンプレッサーを利用して冷却材を輸送して飲用水に対して冷却を行う必要がない。
【００２０】
図１は本発明の実施例１の水タンク式飲料水電子冷却供給装置による外観の斜視図で、図２は本発明の実施例１の水タンク式飲料水電子冷却供給装置による斜視図で、図３は本発明の実施例１の水タンク式飲料水電子冷却供給装置による断面図である。図１、２、３を参照すると、本発明の実施例１の水タンク式飲料水電子冷却供給装置には基座１、冷却モジュール２、加熱モジュール３、制御ユニット４と第一水タンク５が含まれる。冷却モジュール２、加熱モジュール３と制御ユニット４は全て基座１に設置される。そして制御ユニット４はそれぞれ冷却モジュール２および加熱モジュール３とは電気的に連接するように形成されることにより、冷却モジュール２および加熱モジュール３の作動を制御することができる。第一水タンク５は基座１に収容される。
【００２１】
再び図２、３を参照すると、本発明の実施例１における基座１には冷却空間１１、収容空間１２、給水ユニット１３と保冷蓋１４が設けられる。冷却空間１１は収容空間１２の上方に位置するように形成される。基座１が冷却空間１１に向く表面には断熱材質が設けられるため、冷却空間１１の保冷効果を高めることができる。冷却空間１１は第一水タンク５を収容するのに用いられ、そして第一水タンク５には出水バルブ５１が設けられ、使用者は直接出水バルブ５１を利用して飲用水を取得することができる。また、実施例１において給水ユニット１３が設けられるため、使用者が飲用水を取得するのに役立つことができる。
【００２２】
図１、２を参照すると、給水ユニット１３には二個の出水部材１３１、一個の繋ぎ口１３２と複数個のパイプ１３３が設けられる。二個の出水部材１３１は基座１の外表面に設置され、繋ぎ口１３２は冷却空間１１に向くように形成されることにより、第一水タンク５の出水バルブ５１と結合することができる。パイプ１３３により繋ぎ口１３２をその内の一個の出水部材１３１まで連接することができる。さらに、繋ぎ口１３２を先に加熱モジュール３を経過させた後、再びもう一個の出水部材１３１まで連接することにより、使用者は二個の出水部材１３１からそれぞれ熱水と冷水を取得することができる。保冷蓋１４は冷却空間１１を蓋して封止するのに用いられ、そして保冷蓋１４は好ましくは導熱し難い断熱性材質によって製成されることにより、冷却空間１１の保温性を保つことができる。
【００２３】
図４は本発明の実施例１の水タンク式飲料水電子冷却供給装置の冷却モジュールによる分解斜視図である。図３、４を参照すると、本発明の実施例１の冷却モジュール２には伝導殼体２１と冷却チップユニット２２が含まれる。伝導殼体２１は好ましくは金属などの導熱材質により製成される。例えば、本実施例１においては選択的にアルミを伝導殼体２１の材質とし、そして伝導殼体２１は冷却空間１１の内に設置される。伝導殼体２１は底板２１１の四つの側辺からそれぞれ伝導部２１２、係止部２１３と二個の側板２１４を設けることによって共同で構成するものである。底板２１１、伝導部２１２、係止部２１３と側板２１４は共同で囲んで収容タンク２１５を形成し、そして収容タンク２１５は第一水タンク５を収容するのに用いられる。
【００２４】
図３を参照すると、係止部２１３の底端は好ましくは伝導部２１２の底端より低くなるように形成されるため、底板２１１は水平面とは傾斜角度を有するように形成される。係止部２１３には位置決め口２１６が設けられ、第一水タンク５が冷却空間１１に置き入れられる時、第一水タンク５の出水バルブ５１は位置決め口２１６に係合して位置決めすることができ、そして係止部２１３により第一水タンク５が脱出するのを係止することができる。伝導部２１２の肉厚は好ましくは側板２１４の肉厚より大きくなるように形成されることにより、伝導殼体２１の保冷効果を高めることができる。
【００２５】
再び図３、４を参照すると、本発明の実施例１の冷却チップユニット２２は伝導殼体２１の伝導部２１２に設置され、そして好ましくは収容タンク２１５の外に位置するように形成され、さらに基座１の外の空間まで連通されることにより、第一水タンク５の放置に影響を及ぼすのを避けることができる。冷却チップユニット２２には冷却伝導体２２１、冷却チップ２２２、放熱フィン２２３、放熱ファン２２４、保護部材２２５と測温抵抗部材２２６が含まれる。
【００２６】
冷却伝導体２２１と放熱フィン２２３は好ましくは選択的に導熱性のよい金属材質により製成される。冷却伝導体２２１の一方の面は直接伝導部２１２の上に貼り付けられ、そして冷却伝導体２２１のもう一方の面には冷却チップ２２２が設置される。冷却チップ２２２には冷却面２２２ａと放熱面２２２ｂが形成され、そして冷却チップ２２２の冷却面２２２ａは冷却伝導体２２１に向くように形成され、放熱面２２２ｂは冷却伝導体２２１とは背中合わせるように形成される。さらに、放熱フィン２２３は冷却チップ２２２の放熱面２２２ｂに設置され、そして放熱フィン２２３のもう一方の面には放熱ファン２２４が設置されることにより、放熱フィン２２３の放熱に役立つことができる。
【００２７】
保護部材２２５は好ましくは冷却チップユニット２２をカバーすることにより、冷却チップユニット２２が衝撃を受けて損壊してしまうのを避けることができる。測温抵抗部材２２６は冷却伝導体２２１に設置され、そして測温抵抗部材２２６は制御ユニット４とは電気的に連接するように形成されることにより、冷却伝導体２２１の温度を感知し、そして制御ユニット４まで伝送して制御のパラメーターとすることができ、そして冷却伝導体２２１の温度が低くなり過ぎるのを避けることができるため、エネルギーの浪費を避けることができる。このように、冷却チップ２２２は放熱フィン２２３と放熱ファン２２４を通じて放熱を行うことができ、そして低温度は冷却伝導体２２１を経由して伝導部２１２まで伝導される。
【００２８】
再び図３を参照すると、本発明の実施例１の加熱モジュール３は基座１の収容空間１２の内に設置され、そしてパイプ１３３を経由して飲用水を導引し、加熱モジュール３を通過して加熱を行って貯蔵され、さらにその内の一個の出水部材１３１まで連通されることにより、使用者は出水部材１３１により熱水を取得することができる。
【００２９】
再び図３、４を参照すると、本発明の実施例１の制御ユニット４には微動スイッチ４１と少なくとも一個の制御器４２が含まれ、微動スイッチ４１には接触端４１１が形成され、微動スイッチ４１は基座１に設置される。例えば、実施例１において微動スイッチ４１は伝導殼体２１の底板２１１を貫穿し、そして接触端４１１は底板２１１から突き出るように、さらに収容タンク２１５に向くように形成される。また、例えば実施例１においては選択的に一個の制御器４２を設置するものであり、制御器４２は冷却モジュール２、加熱モジュール３と微動スイッチ４１とは電気的に連接するように形成されることにより、微動スイッチ４１を通じて制御器４２まで信号を伝送し、さらに進んで制御器４２を利用して冷却モジュール２と加熱モジュール３の作動を制御する。或いは、制御ユニット４において微動スイッチ４１の設置を省くこともでき、そして直接手動または遠隔操作などの方式を利用して制御器４２を操作することにより、冷却モジュール２と加熱モジュール３の作動を制御することができる。
【００３０】
再び図３、４を参照すると、本発明の水タンク式飲料水電子冷却供給装置を使用する時、第一水タンク５が冷却空間１１に置き入れられた後、第一水タンク５の重量によって微動スイッチ４１の接触端４１１を押圧することにより、直接微動スイッチ４１を通じて信号を制御器４２まで伝送することができ、さらに制御器４２によって冷却モジュール２と加熱モジュール３を制御して冷却と加熱の作動を行うことにより、他に再びスイッチを入れて冷却モジュール２と加熱モジュール３を駆動する必要がないため、使用上の便利性を有効に高めることができる。冷却チップユニット２２が起動された後、低温度は伝導殼体２１の伝導部２１２まで伝導される。そして伝導部２１２の肉厚が二個の側板２１４の肉厚より大きく形成される場合、冷却チップ２２２によって伝導部２１２まで伝導される低温度は比較的失い難いため、全体的な保冷効果を高めることができる。
【００３１】
また、第一水タンク５の出水バルブ５１は係止部２１３の位置決め口２１６に位置決めすることができ、そして繋ぎ口１３２まで連接されるため、第一水タンク５の内の飲用水はパイプ１３３まで輸送され、さらに出水部材１３１まで連通され、或いは先に加熱モジュール３を経由して加熱された後、再び出水部材１３１まで輸送されることにより、使用者は冷水または熱水を飲用することができる。
【００３２】
係止部２１３の底端は伝導部２１２の底端より低く形成されるため、第一水タンク５の内の飲用水が間もなく無くなろうとする時、上記飲用水は底板２１１の傾斜に従って出水バルブ５１に向って流動することにより、第一水タンク５の内に過量な飲用水が残って出水バルブ５１から流出することができなくなるのを避けることができる。冷却空間１１の第一水タンク５の内の飲用水が予定の重量まで無くなった時、微動スイッチ４１が押圧されなくても、制御器４２によって冷却チップユニット２２と加熱モジュール３を直接閉止することができるため、エネルギーの浪費になることなく、そして使用上の便利性を有効に高めることができる。
【実施例２】
【００３３】
図５は本発明の実施例２の水タンク式飲料水電子冷却供給装置による斜視図で、図６は本発明の実施例２の水タンク式飲料水電子冷却供給装置による断面図である。図５、６を参照すると、実施例２において、基座１には他に予冷空間１５と保冷板１６が設けられる。予冷空間１５は収容空間１２の下方に位置するように形成されることにより、第二水タンク５’を収容することができる。そして基座１が予冷空間１５に向く表面には断熱材質が設けられることにより、予冷空間１５の保冷効果を高めることができる。保冷板１６は予冷空間１５を蓋して封止するのに用いられ、そして保冷板１６は好ましくは導熱し難い断熱材質により製成されることにより、予冷空間１５の保温性を増やすことができる。
【００３４】
保冷板１６が予冷空間１５に向く一方には予冷タンク１６１が設けられ、予冷タンク１６１は第二水タンク５’を置き入れるのに用いられることにより、保冷板１６を引っ張り出すと同時に、第二水タンク５’は予冷空間１５から離れるように形成されるため、使用者が取り替えるのに大変便利になる。さらに、実施例２において制御ユニット４は好ましくは他に制御器４２’が含まれ、そして制御器４２’は好ましくは基座１が予冷空間１５に近寄る場所に設置される。
【００３５】
図７は本発明の実施例２の水タンク式飲料水電子冷却供給装置の冷却モジュールによる分解斜視図である。図６、７を参照すると、実施例２において、飲料水供給装置には他に予冷チップユニット６が含まれる。予冷チップユニット６は制御ユニット４の制御器４２’とは電気的に連接するように形成され、制御器４２’を利用して予冷チップユニット６の作動を制御することができる。予冷チップユニット６は好ましくは基座１に設置され、そして予冷チップユニット６の一方は予冷空間１５に向くように形成される。例えば、実施例２においては予冷チップユニット６は予冷空間１５と基座１の外の外部空間の間に連接される。
【００３６】
予冷チップユニット６には予冷チップ６１、予冷伝導体６２、予冷フィン６３、予冷ファン６４、放熱フィン６５、放熱ファン６６、少なくとも一個の保護部材６７と感温部材６８が含まれる。例えば、実施例２においては二個の保護部材６７、６７’が設置される。予冷チップ６１には冷却チップ２２２と同様に冷却面６１ａと放熱面６１ｂが形成され、予冷チップ６１は基座１に設置され、さらに予冷チップ６１の冷却面６１ａは予冷空間１５に向くように形成され、そして予冷チップ６１の冷却面６１ａには順序に従って予冷伝導体６２、予冷フィン６３、予冷ファン６４とその内の一個の保護部材６７が設けられる。
【００３７】
また、予冷チップ６１の放熱面６１ｂは基座１の外の外部空間に向くように形成され、そして予冷チップ６１の放熱面６１ｂには順序に従って放熱フィン６５、放熱ファン６６と他にもう一個の保護部材６７’が設けられる。感温元件６８は制御ユニット４の制御器４２’とは電気的に連接するように形成され、さらに感温部材６８は保護部材６７に設置され、そして保護部材６７と予冷ファン６４との間に位置するように形成されることにより、予冷ファン風扇６４が吹き出す冷たい空気の温度を感知し、制御器４２’まで伝送して制御のパラメーターとすることができ、そして予冷空間１５の温度が低くなり過ぎるのを避けることができるため、エネルギーの浪費を避けることができる。
【００３８】
このように、冷却チップ６１は放熱フィン６５と放熱ファン６６を通じて放熱を行うことができ、そして低温度は予冷伝導体６２、予冷フィン６３と予冷ファン６４を経由して予冷空間１５の内に吹き入れられるため、予冷空間１５の内の第二水タンク５’は予冷ファン６４が吹き出される冷たい空気によって予冷を行うことができる。実施例２における他の部材は実施例１とは同じため、ここでは叙述を省略する。
【００３９】
冷却空間１１の内に位置する第一水タンク５の内の飲用水がなくなると、第一水タンク５を取り除いて、それから再び予冷空間１５の内に予冷されている第二水タンク５’を取り出して冷却空間１１の内に置き入れるだけで、上記飲用水を迅速に予定の低温度に達させることができるため、長時間での待ち時間を必要することなく冷たい飲用水を飲用することができる。
【産業上の利用可能性】
【００４０】
上述の如く、本発明の水タンク式飲料水電子冷却供給装置によれば、冷却モジュール２には伝導殻体２１と冷却チップユニット２２が含まれ、さらに伝導殼体２１は収容空間２１５の内に位置する第一水タンク５を囲んで被覆し、そして伝導殼体２１と第一水タンク５の接触の面積が比較的大きいため、冷却チップユニット２２は伝導殼体２１を通じて低温度を迅速に第一水タンク５まで伝導することができ、さらに冷却チップユニット２２は良好的に水タンク式飲料水供給装置に結合されるため、冷却剤を利用することなく冷却を行うことができ、このように環境の汚染破壊を避けることができる。また、微動スイッチ４１の設置によって使用者は手動で制御器４２を操作することなく、冷却モジュール２と加熱モジュール３の作動を制御することができるため、使用上の便利性を有効に高めることができる。さらに、本発明では予冷空間１５において他に第二水タンク５’を収容することができ、そして予冷チップユニット６を利用して第二水タンク５’に対して予冷を行うことにより、第一水タンク５を取り換えた後、第二水タンク５’が予定の低温度に達する冷却時間の待ち時間を短縮することができる。
【００４１】
本発明は、その精神とび必須の特徴事項から逸脱することなく他のやり方で実施することができる。従って、本明細書に記載した好ましい実施例は例示的なものであり、限定的なものではない。
【符号の説明】
【００４２】
１    基座
１１    冷却空間                          １２    収容空間
１３    給水ユニット
１３１    出水部材                        １３２    繋ぎ口
１３３    パイプ
１４    保冷蓋                            １５    予冷空間
１６    保冷板                          １６１    予冷タンク
２    冷却モジュール
２１    伝導殻体
２１１    底板                            ２１２    伝導部
２１３    係止部                          ２１４    側板
２１５    収容タンク                      ２１６    位置決め口
２２    冷却チップユニット
２２１    冷却伝導体                      ２２２    冷却チップ
２２２ａ    冷却面                        ２２２ｂ  放熱面
２２３    放熱フィン                      ２２４    放熱ファン
２２５    保護部材                        ２２６    測温抵抗部材
３    加熱モジュール
４    制御ユニット
４１    微動スイッチ                    ４１１    接触端
４２    制御器                            ４２’  制御器
５    第一水タンク                        ５’  第二水タンク
５１    出水バルブ
６    予冷チップユニット
６１    予冷チップ                        ６１ａ  冷却面
６１ｂ  放熱面                            ６２    予冷伝導体
６３    予冷フィン                        ６４    予冷ファン
６５    放熱フィン                        ６６    放熱ファン
６７    保護部材                          ６７’  保護部材
６８    感温部材
【図１】
2010223503.tif 000003
【図２】
2010223503.tif 000004
【図３】
2010223503.tif 000005
【図４】
2010223503.tif 000006
【図５】
2010223503.tif 000007
【図６】
2010223503.tif 000008
【図７】
2010223503.tif 000009